(57)【要約】      （修正有）【課題】アンカー頭部に保護キャップを被せないで設置してアンカー頭部全体を目視点検できると共に、その頭部をキャップなしで保護できるようにしたグラウンドアンカー頭部の点検構造を提供する。【解決手段】アンカープレート１から突出した付着型ＥＣＦストランド２を筒形の内外にねじ４・５を設けたステンレス製テンドングリップ３に嵌入し、そのテンドングリップ３に圧縮コイルばね状又は線輪円筒状の落石プロテクタ６を嵌合し、当該テンドングリップの先端にテンドングリップの内径ねじ５にねじ栓７を螺合し、又は外径ねじ４にねじ蓋を螺合してなることを特徴とするアンカー頭部の点検構造。【選択図】図１
2020183618.tif 000002
【特許請求の範囲】
【請求項１】
アンカープレート（１）から突出したＥＣＦストランド（２）を外径ねじ（４）・内径ねじ（５）を設けたステンレス製で筒形のテンドングリップ（３）に嵌入し、そのテンドングリップ（３）に圧縮コイルばね状の落石プロテクタ（６）を嵌合し、当該テンドングリップの先端に設けた内径ねじ（５）にねじ栓（７）を螺合してなることを特徴とするアンカー頭部の点検構造。
【請求項２】
アンカープレート（１）から突出したＥＣＦストランド（２）を外径ねじ（４）・内径ねじ（５）を設けた筒形のステンレス製テンドングリップ（３）に嵌入し、そのテンドングリップに線輪円筒状の落石プロテクタ（６）を嵌合し、当該テンドングリップ（３）の先端に有する内径ねじ（５）にねじ栓（７）を螺合してなることを特徴とするアンカー頭部の点検構造。
【請求項３】
アンカープレート（１）から突出したＥＣＦストランド（２）を筒形の内外に外径ねじ（４）・内径ねじ（５）を設けたステンレス製テンドングリップ（３）に嵌入し、そのテンドングリップに圧縮コイルばね状又は線輪円筒状の落石プロテクタ（６）を嵌合し、当該テンドングリップ（３）の先端の外径ねじ（４）にねじ蓋（８）を螺合してなることを特徴とするアンカー頭部の点検構造。
【発明の詳細な説明】
【技術分野】
【０００１】
本発明は、グラウンドアンカー頭部の点検構造に関し、アンカー頭部を保護する頭部キャップを被せないで設置してアンカー頭部全体を目視点検できると共に、その頭部を頭部キャップなしで保護できるようにしたものである。
【背景技術】
【０００２】
一般に、グラウンドアンカーの頭部は、保護するための保護キャップを被せた内部にはアンカー頭部のＰＣ鋼より線や定着クサビ及びアンカーヘッドなど、頭部部材の腐食を防止するために防錆材を充填している。
【０００３】
そのグラウンドアンカーにおける不具合が発生する個所の９０％以上は頭部及び頭部背面であるといわれている。これらを日常的に又は定期的に又は異常発生時に目視で点検後、健全性調査を実施して、破損・劣化部材などを補修することで、現在のグラウンドアンカーと同等の防食性能まで向上させることが可能になる。
【０００４】
上記の目視による点検は、アンカー頭部を保護するために被せられている頭部キャップを取り外して内部を目視点検することは通常であった。従来のキャップは分厚い板厚で重いものであったため、その脱着は面倒である共に、のり面などの足場の悪い場所や高所での作業には危険が伴っていた。また、補修時での劣化防錆材の除去及び新規防錆材の充填作業についても手間を要していた。
【０００５】
そこで、従来においても保護キャップを外さず、被せたままの状態でアンカー頭部の点検に関する提案は行われている。
【０００６】
特許文献１は、アンカー端部の健全性のチェックを頭部背面の分解を必要とせず、容易に目視チェックすることができる頭部背面の構造を提供する。
【０００７】
特許文献２は、グラウンドアンカー頭部構造に関し、その頭部及び頭部背面構造を分解することを必要とせずに、アンカーヘッド上方の領域におけるテンドンの状態を容易に視認（目視）することができるものである、としている。
【０００８】
特許文献３は、施工現場で作業者がどの様な位置から見ても定着具、テンドン、防錆材（グリースなど）を視認或いは目視することが出来るアンカー頭部維持管理構造と、それを施工及び管理方法である。
【０００９】
特許文献４は、頭部キャップを取り外すことなく内部の観察を可能にし、しかも内部に充填された防錆油の劣化を防止することができるアンカー用頭部キャップと、これを点検する方法である。
【先行技術文献】
【特許文献】
【００１０】
【特許文献１】特許第４７９３９５２号公報
【特許文献２】特開２０１４−１２５７６９号公報
【特許文献３】特開２０１７−１０６１８８号公報
【特許文献４】特開２０１８−１３５７４２号公報
【発明の概要】
【発明が解決しようとする課題】
【００１１】
上記特許文献１〜４は、いずれもキャップの一部に窓を設けて目視点検をする構造であるが、アンカー頭部に保護キャップを被せた状態であるから、内部をくまなく全体を目視することは困難である。そこで、アンカー頭部に被せる保護キャップをなくせばアンカー頭部全体を目視点検することができる。ただし、この場合は、アンカー頭部を設置場所における落石などから防がなければならない。そこで、本発明は、アンカー頭部にキャップそのものを被せないでもアンカー頭部を保護管理できるようにしたものである。
【課題を解決するための手段】
【００１２】
本発明の第１は、アンカー頭部の点検構造において、アンカープレートから突出したＥＣＦストランドを筒形の内外にねじを設けたステンレス製テンドングリップを嵌合し、そのテンドングリップに圧縮コイルばねからなる落石プロテクタを嵌合し、当該テンドングリップの先端に有する内径ねじにねじ栓を螺合してなるものである。
【００１３】
本発明の第２は、アンカー頭部の点検構造において、アンカープレートから突出したＥＣＦストランドを筒形の内外にねじを設けたステンレス製テンドングリップに嵌入し、そのテンドングリップに線輪円筒状の落石プロテクタを嵌合し、当該テンドングリップの先端に有する内径ねじにねじ栓を螺合してなるものである。
【００１４】
本発明の第３は、アンカー頭部の点検構造において、アンカープレートから突出したＥＣＦストランドを筒形の内外にねじを設けたステンレス製テンドングリップに嵌入し、そのテンドングリップに圧縮コイルばねを嵌合し、当該テンドングリップの先端の外径ねじにねじ蓋を螺合してなるものである。
【発明の効果】
【００１５】
本発明は上記の構成であるから、次のような効果がある。
第１に、アンカープレートから突出しているテンドングリップには保護キャップを被せていないので、日常的又は定期的又は異常発生時の点検において、テンドングリップの全方位を目視することができる。また、定着ナット、球面座金の状態も一目で点検できる。なお、点検時に目視できないが、テンドングリップに嵌入しているＥＣＦストランド（内部充填型エポキシ樹脂被覆ＰＣ鋼より線）は定着用膨張材で把持する構造としており、十分な耐食性を有していることから長期の年月を経過しても腐食する恐れがない。
第２に、テンドングリップはステンレス製であるから、従来被せていた防錆保護キャップを用いないで長期の年月を経過してもテンドングリップが腐食する恐れがなくなり、維持管理が容易確実である。
第３に、ステンレス製のテンドングリップの外径にねじ山が設けられており、そのまま露出した状態では、設置した後に、法面からの崩落による小石などがテンドングリップに当たってねじ山を潰す恐れがあるが、圧縮コイルばね状や線輪円筒状のプロテクタ又は圧縮コイルばね自体が当該テンドングリップの外径全長にわたって嵌合しているから外径ねじを潰す恐れがなくなる。
第４に、テンドングリップの頭部先端において、その内径ねじにプロテクタ受け座付きねじ栓又は外径ねじにプロテクタ受け座付きねじ蓋を螺合したから、当該テンドングリップの内径ねじを保護すると共に、テンドングリップに嵌合した圧縮コイルばねの脱落を防止することができる。
第５に、圧縮コイルばねは、テンドングリップと同様にステンレス製であるから、保護キャップを被せなくても、腐食することないことは勿論のこと、圧縮コイルばねのすき間を通じてテンドングリップの状態を目視できるから、栓ねじや蓋ねじを外さなくても点検観察を行うことができる。
【図面の簡単な説明】
【００１６】
【図１】本発明の実施状態を示す概略断面図である。
【図２】図１から圧縮コイルばねとねじ栓を除いたアンカー頭部の斜視図である。
【図３】図1の頭部部分の斜面図である。
【図４】圧縮コイルばね状プロテクタの斜視図である。
【図５】線輪円筒状プロテクタの斜視図である。
【図６】テンドングリップの内径ねじに螺合するねじ栓と座金の側面図である。
【図７】圧縮コイルばねを嵌合し、ねじ蓋を螺合したテンドングリップの斜面図である。
【図８】テンドングリップの外径ねじに螺合するねじ蓋の縦断面図である。
【発明を実施するための形態】
【００１７】
本発明に係るグラウンドアンカー頭部の点検構造の形態は次のとおりである。すなわち、アンカープレートから突出して露呈したＥＣＦストランドを筒形の内外にねじを設けたステンレス製テンドングリップに嵌入し、そのテンドングリップに圧縮コイルばねからなる落石プロテクタを嵌合し、当該テンドングリップ先端の内径ねじにねじ栓を螺合し、又は当該テンドングリップ先端の外径ねじにねじ蓋を螺合してなるものである。
【実施例】
【００１８】
次に本発明に係るグラウンドアンカー頭部の点検構造の実施例を図面に沿って説明する。図において、１は地盤の表面Ｎに設置したアンカープレート、２はアンカープレート１から突出して露呈している付着型ＥＣＦストランドである。ここにいうＥＣＦストランドとは、内部充填型エポキシ樹脂被覆ＰＣ鋼より線のことを意味し、エポキシ樹脂を防食被覆としてのＰＣ鋼材のことである。３はＥＣＦストランド２に、その頭部側先端から嵌合するステンレス製の円筒形テンドングリップである。なお、当該テンドングリップ３は、工事施工現場の条件によって、図１と図３、図７に示すようにその突出長さが異なるものである。
４はテンドングリップ３の外径に全長にわたって設けた外径ねじである。５はそのテンドングリップ３の頭部先端部外径に設けた外径ねじであり、テンドングリップ３の頭部先端からねじ栓の雄ねじ７１が収まる長さに設けてある。
【００１９】
６はＰＣ鋼より線１に嵌合する圧縮コイルばね又は線輪の円筒状からなる落石プロテクタである。図４に示すものは、単一本のコイルばねにしたものである。当該圧縮コイルばねの線径は７ｍｍ、各コイルばね線間の間隔は１５ｍｍに設定してある。また、線輪円筒状は複数のリングを等間隔に配置し、その複数のリングの外形に複数本の細棒体６１を渡して溶接等で接合してある（図５）。
【００２０】
上記の落石プロテクタ６は、円筒形テンドングリップ３の長さに合わせて、その全長を覆う長さに設定し、形状は円筒状を成し、その内径はテンドングリップ３の外径より大径になっているため、これを嵌合すると両者３・６に適度の隙間ｇが形成されるから、これが外径ねじ４に接触して傷つけるような恐れがない。
【００２１】
なお、図８にあっては、ねじ蓋８の細径部と定着ナット１０の細径部に落石プロテクタ６を構成する圧縮コイルばねの両端を嵌合することにより、テンドングリップ３の外径と圧縮コイルバネ６の内径との隙間ｇが均等に確保され、当該コイルばねが外径ねじ４に接触して傷付けることは全くなくなる。
【００２２】
７はテンドングリップ３の先端の内径ねじ５に螺合する雄ねじ７１を有しているねじ栓であり、その大径部７ｎで落石プロテクタ６を成形する圧縮コイルばね又は線輪円筒体の端部の受け座となっている（図６）。８は当該テンドングリップ３の先端の外径ねじ４に螺合する雌ねじ８１を有するねじ蓋であり、その大径部８ｎで落石プロテクタ６を成形する圧縮コイルばね又は線輪円筒体の端部の受け座となっている（図７及び図９）。９はアンカープレート１の穴９１に嵌めたテンドングリップの保護管９ｎ付きの球面型の座金、１０はテンドングリップに螺合して球面座金を締め付ける定着ナット、１１はテンドングリップ３内において充填したＥＣＦストランド２を把持するための定着用膨張材を示す。
【００２３】
[具体的な設置例]
上記構成において、土中の掘削孔に予めテンドングリップ３に定着用膨張材１１でＥＣＦストランド２を把持して組立てた、グラウンドアンカー体を装入し、アンカープレート１及びこれに重ねた球面座金９の孔９１からのり面外方に突出し、そのテンドングリップ３の外径ねじ４に定着ナット１０を螺合し、球面座金９を介してアンカープレート１を強固に締め付けてのり面Ｎに押圧定着する。
【００２４】
この状態でテンドングリップ３に圧縮コイルばね又は線輪円筒状からなる落石プロテクタ６を嵌合し、テンドングリップ先端の内径ねじ５にねじ栓７を、又は外径ねじ４にねじ蓋８を螺合する。
【００２５】
これによって、のり面Ｎに設置した後、日常点検、定期的点検、異常時発生時の点検において、在来のアンカー頭部の一部の設けた目視窓付きキャップの点検に比較して露出したコイルばね状の落石防止プロテクタ付きのテンドングリップ３、定着ナット１０、球面座金９の全方位を目視点検することができる。
【符号の説明】
【００２６】
１…アンカープレート
２…ＥＣＦストランド
３…テンドングリップ
４…外径ねじ
５…内径ねじ
６…落石プロテクタ
６１…細棒体
７…ねじ栓
７１…ねじ栓の雄ねじ
７n…ねじ栓の大径部
８…ねじ蓋
８１…ねじ蓋の雌ねじ
８ｎ…ねじ蓋の大径部
９…球面座金（テンドングリップ保護管９ｎ付き）
９１…孔
１０…定着ナット
１１…定着用膨張材
【図１】
2020183618.tif 000003
【図２】
2020183618.tif 000004
【図３】
2020183618.tif 000005
【図４】
2020183618.tif 000006
【図５】
2020183618.tif 000007
【図６】
2020183618.tif 000008
【図７】
2020183618.tif 000009
【図８】
2020183618.tif 000010